【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
電気的に読み取り可能な識別情報と、前記識別情報を読み取る読取手段を備える携帯端末と、工事を検査する検査機関に設置される端末と、ネットワークを介して前記携帯端末及び前記端末との間で情報を送受することができるサーバとを備え、
前記サーバは、
前記識別情報ごとに、前記識別情報が記録されたタグを付けた検査対象の画像データを含む検査データの収集を指示するための検査指示データを記憶する記憶手段と、
前記携帯端末を用いて、前記識別情報を読み取って前記識別情報を送ってきたときに、前記記憶手段から、その識別情報に対応する前記検査指示データを読み出して、前記携帯端末の表示画面に前記検査指示データを表示する検査指示表示手段と、
前記携帯端末を用いて、前記検査指示データに基づいて収集した前記検査対象の画像データを含む検査報告データを送信してきたときに、前記識別情報ごとに、受信した前記検査報告データを前記記憶手段に格納する報告データ格納手段と、
前記端末から要求されたときに、前記端末から送られた前記識別情報に基づいて、前記記憶手段に記憶する前記検査報告データを検索して、その検索結果を前記端末に対して送出する報告データ検索手段と、
を具備することを特徴とする施工管理システム。
【請求項２】
前記検査機関は住宅の性能を評価する性能保証機関であり、前記検査対象は住宅の性能評価のために必要なものであることを特徴とする請求項１記載の施工管理システム。
【請求項３】
前記サーバは、前記携帯端末から前記検査報告データが送られてきたときに、前記携帯端末の位置情報を取得し、その位置情報を前記検査報告データに付加する位置情報付加手段を具備することを特徴とする請求項１又は２記載の施工管理システム。
【請求項４】
前記サーバは、前記携帯端末から前記検査報告データが送られてきたときに、その送られてきた時のタイムスタンプ情報を取得して、そのタイムスタンプ情報を前記検査報告データに付加する時刻情報付加手段を具備することを特徴とする請求項１、２又は３記載の情報収集・提供システム。
【請求項５】
前記サーバは、前記端末から送られてきた、前記識別情報ごとの前記検査指示データを前記記憶手段に登録する検査指示データ登録手段を具備することを特徴とする請求項１、２、３又は４記載の施工管理システム。
【請求項６】
前記識別情報は、バーコード又はＩＣタグに記憶されたＩＤ情報であることを特徴とする請求項１、２、３、４又は５記載の施工管理システム。
【請求項７】
前記検査指示データは、工事現場毎に付与される固有の工事識別情報のデータを含むものであり、前記報告データ検索手段は、前記端末から要求されたときに、前記端末から送られてきた工事識別情報に対応する工事現場の検査対象に付与されている全ての前記識別情報に対応する前記検査報告データを検索して、前記端末に転送することを特徴とする請求項１、２、３、４、５又は６記載の施工管理システム。
【請求項８】
電気的に読み取り可能な識別情報と、前記識別情報を読み取る読取手段を備える携帯端末と、端末と、ネットワークを介して前記携帯端末及び前記端末との間で情報を送受することができるサーバとを備え、
前記サーバは、
前記識別情報ごとに、前記識別情報が記録されたタグを付けた対象物の画像データを含むデータの収集を指示するための指示データを記憶する記憶手段と、
前記携帯端末を用いて、前記識別情報を読み取って前記識別情報を送ってきたときに、前記記憶手段から、その識別情報に対応する前記指示データを読み出して、前記携帯端末に前記指示データを表示する指示内容表示手段と、
前記携帯端末を用いて、前記指示データに基づいて収集した前記対象物の画像データを含む報告データを送信してきたときに、前記識別情報ごとに、受信した前記報告データを前記記憶手段に格納する報告データ格納手段と、
前記端末から要求されたときに、前記端末から送られた前記識別情報に基づいて、前記記憶手段に記憶する前記報告データを検索して、その検索結果を前記端末に対して送出する報告データ検索手段と、
を具備することを特徴とする情報収集システム。
【請求項９】
前記サーバは、前記携帯端末から前記報告データが送られてきたときに、前記携帯端末の位置情報を取得し、その位置情報を前記報告データに付加する位置情報付加手段を、具備することを特徴とする請求項８記載の情報収集システム。
【請求項１０】
前記サーバは、前記携帯端末から前記報告データが送られてきたときに、その送られてきた時のタイムスタンプ情報を取得して、そのタイムスタンプ情報を前記報告データに付加する時刻情報付加手段を、具備することを特徴とする請求項８又は９記載の情報収集システム。
【請求項１１】
前記識別情報は、ＩＣタグに記憶されたＩＤ情報又はバーコードであり、前記携帯端末は、前記ＩＣタグの情報或いは前記バーコードの情報を読み取る読取手段を備えることを特徴とする請求項８、９又は１０記載の情報収集システム。
【請求項１２】
携帯端末の読取手段を用いて電気的に読み取り可能な識別情報を読み取る工程と、
前記携帯端末を用いて読み取った識別情報をサーバに転送する工程と、
前記携帯端末からの前記識別情報を受信したサーバが、記憶手段から、その識別情報に対応する、前記識別情報が記録されたタグを付けた検査対象の画像データを含む検査データの収集を指示するための検査指示データを読み出して、前記携帯端末の表示画面に前記検査指示データを表示する検査指示表示工程と、
前記携帯端末を用いて、前記検査指示データに基づいて収集した前記検査対象の画像データを含む検査報告データを前記サーバに転送する工程と、
前記検査報告データを受信したサーバが前記識別情報ごとに、受信した前記検査報告データを記憶手段に格納する報告データ格納工程と、
前記端末から要求されたときに、前記端末から送られた前記識別情報に基づいて、記憶手段に記憶する前記検査報告データを検索して、その検索結果を前記端末に対して送出する報告データ検索工程と、
を具備することを特徴とする施工管理方法。
【請求項１３】
携帯端末の読取手段を用いて電気的に読み取り可能な識別情報を読み取る工程と、
前記携帯端末を用いて読み取った識別情報をサーバに転送する工程と、
前記識別情報を受信したサーバが記憶手段から、その識別情報に対応する、前記識別情報が記録されたタグを付けた対象物の画像データを含むデータの収集を指示するための指示データを読み出して、前記携帯端末に前記指示データを表示する指示表示工程と、
前記携帯端末を用いて、前記指示データに基づいて収集した前記対象物の画像データを含む報告データを送信する工程と、
前記報告データを前記サーバが受信したときに、前記識別情報ごとに、受信した前記報告データを前記記憶手段に格納する報告データ格納工程と、
前記端末から要求されたときに、前記端末から送られた前記識別情報に基づいて、前記記憶手段に記憶する前記報告データを検索して、その検索結果を前記端末に対して送出する報告データ検索工程と、
を具備することを特徴とする情報収集方法。
【手続補正２】
【補正対象書類名】明細書
【補正対象項目名】０００８
【補正方法】変更
【補正の内容】
【０００８】
上記の目的を達成するための本発明係る施工管理システムは、電気的に読み取り可能な識別情報と、前記識別情報を読み取る読取手段を備える携帯端末と、工事を検査する検査機関に設置される端末と、ネットワークを介して前記携帯端末及び前記端末との間で情報を送受することができるサーバとを備え、前記サーバは、前記識別情報ごとに、前記識別情報が記録されたタグを付けた検査対象の画像データを含む検査データの収集を指示するための検査指示データを記憶する記憶手段と、前記携帯端末を用いて、前記識別情報を読み取って前記識別情報を送ってきたときに、前記記憶手段から、その識別情報に対応する前記検査指示データを読み出して、前記携帯端末の表示画面に前記検査指示データを表示する検査指示表示手段と、前記携帯端末を用いて、前記検査指示データに基づいて収集した前記検査対象の画像データを含む検査報告データを送信してきたときに、前記識別情報ごとに、受信した前記検査報告データを前記記憶手段に格納する報告データ格納手段と、前記端末から要求されたときに、前記端末から送られた前記識別情報に基づいて、前記記憶手段に記憶する前記検査報告データを検索して、その検索結果を前記端末に対して送出する報告データ検索手段と、を具備することを特徴とするものである。
【手続補正３】
【補正対象書類名】明細書
【補正対象項目名】０００９
【補正方法】変更
【補正の内容】
【０００９】
また、本発明の情報収集システムは、電気的に読み取り可能な識別情報と、前記識別情報を読み取る読取手段を備える携帯端末と、端末と、ネットワークを介して前記携帯端末及び前記端末との間で情報を送受することができるサーバとを備え、前記サーバは、前記識別情報ごとに、前記識別情報が記録されたタグを付けた対象物の画像データを含むデータの収集を指示するための指示データを記憶する記憶手段と、前記携帯端末を用いて、前記識別情報を読み取って前記識別情報を送ってきたときに、前記記憶手段から、その識別情報に対応する前記指示データを読み出して、前記携帯端末に前記指示データを表示する指示内容表示手段と、前記携帯端末を用いて、前記指示データに基づいて収集した前記対象物の画像データを含む報告データを送信してきたときに、前記識別情報ごとに、受信した前記報告データを前記記憶手段に格納する報告データ格納手段と、前記端末から要求されたときに、前記端末から送られた前記識別情報に基づいて、前記記憶手段に記憶する前記報告データを検索して、その検索結果を前記端末に対して送出する報告データ検索手段と、を具備することを特徴とするものである。
【手続補正４】
【補正対象書類名】明細書
【補正対象項目名】００１０
【補正方法】変更
【補正の内容】
【００１０】
また、本発明の施工管理方法は、携帯端末の読取手段を用いて電気的に読み取り可能な識別情報を読み取る工程と、前記携帯端末を用いて読み取った識別情報をサーバに転送する工程と、前記携帯端末からの前記識別情報を受信したサーバが、記憶手段から、その識別情報に対応する、前記識別情報が記録されたタグを付けた検査対象の画像データを含む検査データの収集を指示するための検査指示データを読み出して、前記携帯端末の表示画面に前記検査指示データを表示する検査指示表示工程と、前記携帯端末を用いて、前記検査指示データに基づいて収集した前記検査対象の画像データを含む検査報告データを前記サーバに転送する工程と、前記検査報告データを受信したサーバが前記識別情報ごとに、受信した前記検査報告データを記憶手段に格納する報告データ格納工程と、前記端末から要求されたときに、前記端末から送られた前記識別情報に基づいて、記憶手段に記憶する前記検査報告データを検索して、その検索結果を前記端末に対して送出する報告データ検索工程と、を具備することを特徴とするものである。
【手続補正５】
【補正対象書類名】明細書
【補正対象項目名】００１１
【補正方法】変更
【補正の内容】
【００１１】
また、本発明の情報収集方法は、携帯端末の読取手段を用いて電気的に読み取り可能な識別情報を読み取る工程と、前記携帯端末を用いて読み取った識別情報をサーバに転送する工程と、前記識別情報を受信したサーバが記憶手段から、その識別情報に対応する、前記識別情報が記録されたタグを付けた対象物の画像データを含むデータの収集を指示するための指示データを読み出して、前記携帯端末に前記指示データを表示する指示表示工程と、前記携帯端末を用いて、前記指示データに基づいて収集した前記対象物の画像データを含む報告データを送信する工程と、前記報告データを前記サーバが受信したときに、前記識別情報ごとに、受信した前記報告データを前記記憶手段に格納する報告データ格納工程と、前記端末から要求されたときに、前記端末から送られた前記識別情報に基づいて、前記記憶手段に記憶する前記報告データを検索して、その検索結果を前記端末に対して送出する報告データ検索工程と、を具備することを特徴とするものである。
【手続補正６】
【補正対象書類名】明細書
【補正対象項目名】００１２
【補正方法】変更
【補正の内容】
【００１２】
本発明の施工管理システムは、識別情報が記録されたタグを付けた検査対象の画像データを含む各種の検査データの収集を指示するための検査指示データを用いて、検査対象の画像データの収集行うので、容易に、しかも信頼性の高い検査対象の画像データを確実に収集することができる。また、工事途中の検査対象の画像データも容易に収集することができる。
【手続補正７】
【補正対象書類名】明細書
【補正対象項目名】００１３
【補正方法】変更
【補正の内容】
【００１３】
本発明の情報収集システムは、識別情報が記録されたタグを付けた対象物の画像データを含む各種のデータの収集を指示するための指示データに基づいて画像データの収集を行うので、容易に、しかも信頼性の高い対象物の画像データを収集することができる。
【手続補正８】
【補正対象書類名】明細書
【補正対象項目名】００１４
【補正方法】変更
【補正の内容】
【００１４】
本発明の施工管理方法は、識別情報が記録されたタグを付けた検査対象の画像データを含む検査データの収集を指示するための検査指示データを用いて、検査対象の画像データの収集行うので、容易に、しかも信頼性の高い検査対象の画像データを収集することができる。また、工事途中の検査対象の画像データも容易に収集することができる。
【手続補正９】
【補正対象書類名】明細書
【補正対象項目名】００１５
【補正方法】変更
【補正の内容】
【００１５】
本発明の情報収集方法は、識別情報が記録されたタグを付けた対象物の画像データを含むデータの収集を指示するための指示データに基づいて画像データの収集を行うので、容易に、しかも信頼性の高い対象物の画像データを収集することができる。